(57)【要約】【課題】  本発明は、屋根構成材の送り出しを安定かつ円滑に行えるとともに、施工も容易に行える庇を提供することにある。【解決手段】  屋根構成材２ａは、屋根体支持材１との係止部を有しており、屋根体支持材１は、屋根構成材２ａを載せる載せ部６と躯体固定部５を有しており、載せ部６は、各屋根構成材２ａを載せる箇所に躯体Ｔとほぼ並行する方向に沿って伸びる連続的な被係止部９が設けてあり、被係止部９は、載せ部６から立ち上がる屋根当接部９ａと、屋根当接部９ａの躯体Ｔ側に設けられる受入部９ｂとを有しており、係止部１６は、受入部９ｂに差し込み可能な差込部１６ａを有しており、受入部９ｂは、差込部１６ａが差し込まれたときに屋根構成材２ａの上下方向の回転を許容し、屋根当接部９ａに当接した屋根構成材２ａを躯体Ｔとほぼ並行する方向に沿ってスライド自在に被係止部９と係止することを特徴とする。【選択図】      図１
2018204399.tif 000002
【特許請求の範囲】
【請求項１】
屋根体と、屋根体支持材とを備えており、
屋根体は、複数の屋根構成材をほぼ並列に配置したものであり、各屋根構成材は、屋根体支持材との係止部を有しており、屋根体支持材は、屋根構成材を載せる載せ部と躯体固定部とを有し、載せ部は、各屋根構成材を載せる箇所に躯体とほぼ並行する方向に沿って伸びる連続的な被係止部が設けてあり、被係止部は、載せ部から立ち上がる屋根当接部と、屋根当接部の躯体側に設けられる受入部とを有しており、係止部は、受入部に差し込み可能な差込部を有しており、受入部は、差込部が差し込まれたときに屋根構成材の上下方向の回転を許容し、屋根当接部に当接した屋根構成材を躯体とほぼ並行する方向に沿ってスライド自在に被係止部と係止することを特徴とする庇。
【請求項２】
屋根構成材または屋根体支持材には、係止部または被係止部と間隔をあけた箇所に、屋根構成材または屋根体支持材に当接するガイド部を有していることを特徴とする請求項１記載の庇。
【請求項３】
ガイド部は、係止部が被係止部と係止したときに、係止部と被係止部のスライドする方向と同一の方向にスライド自在に係止することを特徴とする請求項２記載の庇。
【発明の詳細な説明】
【技術分野】
【０００１】
本発明は、躯体の出入口や窓の上方に設置して雨や日射しを遮る庇に関するものである。
【背景技術】
【０００２】
一般にこの種の庇は、躯体に屋根体を支持するための屋根体支持材を固定し、その屋根体支持材に対して単体または分割した板状あるいはパネル状の屋根構成材を躯体の外壁面に沿って並列に配置し、屋根体を構成するものであった。このうち、複数の屋根構成材を並列に配置することで屋根体を構成する庇は、図１２（ａ）のように、屋根体支持材１０１に設けてある躯体Ｔとほぼ並行に配置されるボルト溝１０２にボルト１０３を掛け、さらに、ボルト１０３に屋根構成材１０４を通してナット１０５で緩く仮締めする。そして、屋根構成材１０４をボルト溝１０２に沿って躯体Ｔとほぼ並行してスライドし、他の屋根構成材１０４についても次々に送り出して所定の位置でナット１０５を固締めすることで屋根体を完成する。
【先行技術文献】
【特許文献】
【０００３】
【特許文献１】特開２０１３−２４００６号公報
【発明の開示】
【発明が解決しようとする課題】
【０００４】
上記のような庇では、屋根構成材１０４を仮締めしてスライドしたときに、図１２（ｂ）のように、緩く拘束された状態であることから屋根構成材１０４がフラついて安定せず、屋根構成材１０４の設置に手間取ることがあった。さらに、屋根構成材１０４を屋根体支持材１０１にボルト１０３とナット１０５で一つ一つ仮締めしていく必要があり、効率的な施工が行いにくい問題があった。
【０００５】
本発明は以上に述べたような実情に鑑み、屋根構成材の送り出しを安定かつ円滑に行えるとともに、施工も容易に行える庇を提供することにある。
【課題を解決するための手段】
【０００６】
本発明の請求項１記載の発明は、屋根体と、屋根体支持材とを備えており、屋根体は、複数の屋根構成材をほぼ並列に配置したものであり、各屋根構成材は、屋根体支持材との係止部を有しており、屋根体支持材は、屋根構成材を載せる載せ部と躯体固定部とを有し、載せ部は、各屋根構成材を載せる箇所に躯体とほぼ並行する方向に沿って伸びる連続的な被係止部が設けてあり、被係止部は、載せ部から立ち上がる屋根当接部と、屋根当接部の躯体側に設けられる受入部とを有しており、係止部は、受入部に差し込み可能な差込部を有しており、受入部は、差込部が差し込まれたときに屋根構成材の上下方向の回転を許容し、屋根当接部に当接した屋根構成材を躯体とほぼ並行する方向に沿ってスライド自在に被係止部と係止することを特徴とする。
【０００７】
本発明の請求項２記載の発明では、屋根構成材または屋根体支持材には、係止部または被係止部と間隔をあけた箇所に、屋根構成材または屋根体支持材に当接するガイド部を有していることを特徴とする。
【０００８】
本発明の請求項３記載の発明では、ガイド部は、係止部が被係止部と係止したときに、係止部と被係止部のスライドする方向と同一の方向にスライド自在に係止することを特徴とする。
【発明の効果】
【０００９】
本発明のうち請求項１記載の発明によれば、屋根構成材の係止部の差込部を屋根体支持材の載せ部の被係止部の受け部に対して斜め上側から差し込み、さらに、屋根構成材を倒して屋根体支持材に置くことにより、屋根構成材が屋根体支持材に対して躯体に沿う方向にスライド自在な状態で係止する。さらに、ガイド部が載せ部に当接することから、係止箇所とガイド部の両方で支持しながら屋根構成材をスライドできるので、屋根構成材をフラつくことなく安定して送り出せることから、円滑な施工が行える。また、屋根構成材を斜め上側から差し入れて載せ部に置くだけで屋根体支持材に仮固定できることから、効率的な施工が行える。
【００１０】
本発明のうち請求項２記載の発明によれば、係止部または被係止部と間隔をあけた箇所に設けてあるガイド部が載せ部に当接することから、係止箇所とガイド部の両方で支持しながら屋根構成材をスライドできるので、屋根構成材をフラつくことなく安定して送り出せることにより、円滑な施工が行える。
【００１１】
本発明のうち請求項３記載の発明によれば、屋根構成材を屋根体支持材の載せ部に置いたときに、係止部と被係止部が係止する箇所のほか、ガイド部においてもスライド自在に係止する。これにより、屋根構成材が屋根体支持材から倒伏することなく支持されるので、作業者は屋根構成材を持ち上げながら作業する負担が軽減され、施工性が大幅に向上する。
【図面の簡単な説明】
【００１２】
【図１】（ａ）（ｂ）は、図７中Ｄを拡大し、本実施による庇の屋根構成材を屋根体支持材に取り付けるときの状態を示す縦断面図である。
【図２】図１（ａ）（ｂ）中のＡとＢを拡大し、屋根構成材の係止部と屋根体支持材の被係止部が係止するときの状態を示す縦断面図である。
【図３】（ａ）〜（ｃ）は、各屋根構成材が配列したときの連結状態を示す斜視図である。
【図４】屋根構成材を屋根体支持材の載せ部をスライドする状態を示す斜視図である。
【図５】（ａ）〜（ｄ）は、本実施による庇の施工手順を示す斜視図である。
【図６】本実施による庇の各構成材を展開した斜視図である。
【図７】本実施による庇の全体を示す（ａ）は、図８（ｂ）中のＣ−Ｃ線縦断面図であり、（ｂ）は、要部をのみを拡大した側面図である。
【図８】（ａ）は、補助アームの構造を示す斜視図であり、（ｂ）は、本実施による庇の施工完成図である。
【図９】（ａ）は、水切りの構造を示す要部を拡大した縦断面図であり、（ｂ）は、（ａ）中Ｅを拡大して示す縦断面図であり、（ｃ）は、（ａ）中Ｆを拡大して示す縦断面図である。
【図１０】（ａ）は、前枠を各屋根構成材に取り付けるときの斜視図であり、（ｂ）（ｃ）は、前枠と雨樋の取付構造を示す縦断面図である。
【図１１】（ａ）（ｂ）は、本発明の庇の他の実施形態を示す要部を拡大した縦断面図である。
【図１２】（ａ）は、従来の庇の屋根構成材の施工を示す斜視図であり、（ｂ）は、従来の庇の屋根構成材をスライドしたときの縦断面図である。
【発明を実施するための形態】
【００１３】
以下、本発明の庇の実施形態を図面に基づいて説明する。
本実施による庇は、図７のように、躯体Ｔの軒先に固定する屋根体支持材１と、屋根体支持材１で支持する屋根体２とから構成するものである。また、本実施による庇には、水切り３と前枠４が取り付けてある。まず水切り３は、屋根体支持材１と屋根体２との間に軒先側と躯体Ｔ側に跨って配置されることで、庇に降りかかった雨水等の水分を屋根体２のほうに受け流し、これにより、庇の内部あるいは躯体への雨水の滞留を防ぐものである。次に、前枠４は、屋根体２の軒先側端部に取り付けてあり、上記した前枠４が屋根体２のほぼ全幅にわたって配置されることで、後述で詳細を記載するが、複数の屋根構成材２ａにより分割して構成される屋根体２を位置決めするものである。
【００１４】
屋根体支持材１は、図１（ａ）（ｂ）と図６のように、アルミニウム製の押出形材からなり、躯体Ｔの外壁面に沿ってほぼ垂直な躯体固定部５と、ほぼ水平（僅かに軒先側に下がっている）な載せ部６とから側面視してほぼＬ字状に形成されるものである。躯体固定部５は、図１（ａ）（ｂ）を参照すれば、躯体Ｔの壁面に沿ってほぼ垂直に起立しており、その上部には軒先側に持ち出したアーム７を有している。また、アーム７の上方にはボルト溝７ａが設けてあり、ボルト溝７ａには頭部を上側に抜け出さないかたちでボルト８がスライド自在に係止される。載せ部６は、躯体固定部５の下端部から軒先に張り出したものであり、載せ部６の載置面には、軒先側から順に被係止部９とガイド受部１０が間隔をあけて設けてある。被係止部９は、図２（ａ）（ｂ）のように、屋根当接部９ａと受入部９ｂから構成されている。屋根当接部９ａは、載せ部６の軒先側端部から起立しており、その上端面が平坦になっている。また、受入部９ｂは、屋根当接部９ａの躯体Ｔ側側部に設けてあり、軒先側に掘り込まれた矩形溝のように形成し、その上方が屋根当接部９ａの部位で塞がれている。ガイド受部１０は、載せ部６から垂直に起立する垂直片１０ａと、垂直片１０ａの上端部から躯体Ｔ側に延びる水平片１０ｂとからほぼ下向きＬ字状に形成されている。
尚、符号２６は、各構成部材の開放した両側端部を閉塞するエンドプレートである。
【００１５】
屋根体２は、図６を参照すれば、複数の屋根構成材２ａを躯体Ｔの壁面に沿ってほぼ並列に配置されるものである。
そして、屋根構成材２ａは、図３（ａ）〜（ｃ）のように、パネル１１とジョイント材１２とからなっている。このうちのパネル１１は、中空押出形材からなる断面横長矩形状の長尺なものであり、さらに、最初の屋根構成材２ａの配置後に他の屋根構成材２ａと対向する側端部には、互いが雌雄状に隙間なく連結するための凸部１３と凹部１４がそれぞれ設けてある。ジョイント材１２は、図１（ｂ）を参照すれば、上押さえ片１２ａと、下押さえ片１２ｂと、上押さえ片１２ａと下押さえ片１２ｂをつなぐ結合片１２ｃとから側面視してほぼコ字状をなしており、上押さえ片１２ａと下押さえ片１２ｂと結合片１２ｃで囲まれた箇所には、パネルの端部とほぼ一致する形状をなす保持空間部Ｓが形成される。また、上押さえ片１２ａには、躯体Ｔ側に向けて延びる固定片１５を有している。さらに、下押さえ片１２ｂには、係止部１６とガイド部１７が設けてあり、本実施のものはいずれも下押さえ片１２ｂから下がるとともに、その先端が軒先側に突出した差込部１６ａを有しており、係止部１６とガイド部１７がほぼ同じ形状をしている。そして、ジョイント材１２の保持空間部Ｓにパネル１１の躯体Ｔ側端部をくわえ込ませて嵌合し、パネル１１とジョイント材１２のそれぞれに設けてある貫通孔（図示省略）にボルト１９を挿通してナット２１で締結することにより、屋根構成材２ａを形成する。
尚、符号２７ａ，２７ｂはエンドキャップであり、屋根体支持材１に各屋根構成材２ａを配置したときに、両端にある屋根構成材２ａの凸部１３と凹部１４の露出を隠し、庇の外観意匠を向上するものである。
【００１６】
上記した屋根体支持材１と各屋根構成材２ａの取り付けは、以下のように行われる。
第一の手順として、図１（ａ）（ｂ）及び図５（ａ）のように、躯体Ｔに固定してある屋根体支持材１の載せ部６に対し、屋根構成材２ａを斜め上側から差し入れていき、係止部１６の差込部１６ａを載せ部６の被係止部９の受入部９ｂに挿入する。
第二の手順として、図１（ａ）（ｂ）及び図５（ｂ）のように、係止部１６の差込部１６ａを被係止部９の受入部９ｂに挿入した状態で、係止部１６と被係止部９を軸に屋根構成材２ａを上側に跳ね上げるように回転し、ガイド部１７を載せ部６に当接させる。この際に、屋根構成材２ａの固定片１５に設けてあるボルト孔（図示省略）を躯体固定部５のボルト溝７ａに入れてあるボルト８に通す。
第三の手順として、図５（ｃ）のように、屋根構成材２ａを載せ部６に沿って躯体Ｔの壁面に並行にスライドして送り出す。そして、この作業を他の各屋根構成材２ａについても繰り返すことにより、屋根体支持材１の所定の位置に各屋根構成材２ａが並列に配置される。
第四の手順として、図６（ｄ）のように、各屋根構成材２ａの固定片１５を挿通するアーム７のボルト溝７ａに入れられたボルト８にナット２１を固締めする。これにより、各屋根構成材２ａをすべて屋根体支持材１に設置する作業が完了する。
そして、図６を参照すれば、水切り３を屋根構成材２ａのジョイント材１２と屋根体支持材１に跨るように取り付け、さらに、各屋根構成材２ａの軒先側端部に前枠４を取り付ける。以上の手順を経ることにより、屋根体支持材１の内部へ雨水等の水分が浸入せず、各屋根構成材２ａが前枠４で位置決めされた庇が完成する。
【００１７】
上記のようにした本実施による庇は、以下に示すような作用、効果を奏することになる。
図１（ａ）（ｂ）を参照すれば、屋根構成材２ａを屋根体支持材１に取り付けるときに、屋根構成材２ａを屋根体支持材１に対して躯体Ｔ側から軒先側に向けて斜め上側から差し入れて、係止部１６の差込部１６ａを載せ台６の被係止部９の受入部９ｂに挿入する。そして、受入部９ｂを軸として屋根構成材２ａを軒先側から持ち上げて躯体Ｔ側に跳ね上げて回転することにより、屋根構成材２ａのガイド部１７が載せ部６に当接する。このときに、差込部１６ａについても受入部９ｂの中で被係止部９に係止し、さらに、屋根構成材２ａが自重で載せ部６の傾斜に沿って下がることにより、図２（ａ）（ｂ）もあわせて参照すれば、ガイド部１７の水平片１０ｂもガイド受部１０の垂直片１０ａと水平片１０ｂに囲まれた空隙Ｕに入り込む。これにより、屋根構成材２ａは、図４を参照すれば、係止部１６とガイド部１７の二箇所で上方への抜け出しをそれぞれ規制されつつも、躯体Ｔに沿って上下に揺動することなく、安定した姿勢でほぼ水平に載せ台６の上をスライドさせて送り出すことができる。屋根構成材２ａを斜め上側から差し入れて載せ台６に置くだけで屋根構成材２ａを脱落しにくい状態で仮締めができる。これにより、比較的躯体Ｔの高所に設置される庇であっても、作業者は屋根構成材２ａを簡単に屋根体支持材１の載せ台６に仮締めでき、作業負担の軽減を図ることができる。  
【００１８】
以上、本実施による庇の要部である屋根体支持材１と屋根体２の取付構造を中心に説明したが、庇のその他の部位を簡単に説明する。
本実施の庇には補助アーム２２が取り付けてあり、この補助アーム２２は、図８（ａ）のように、補助アーム２２の長手方向の一方側端をいずれかの屋根構成材２ａに取り付けた屋根材固定具２３に連結し、他方を躯体Ｔに取り付けた躯体固定具２４に連結しており、いずれも補助アーム２２を上下方向に回転自在に連結している。このように形成すると、本実施による庇は、屋根体支持材１をアンカーなどの金具で固定して躯体Ｔから支持されているが、上記の補助アーム２２でも躯体Ｔから支持することで、屋根体支持材１を躯体Ｔに固定する金具の支持負担を分担する。これにより、補助アーム２２の追加による躯体Ｔからの支持強度が高まることに加え、補助アーム２２と屋根体支持材１のいずれかの固定箇所が脱落したときに、躯体Ｔとの固定の残ったほうが屋根構成材２ａと連結したままの状態となるので、屋根構成材２ａの急激な落下による地上での不意な事故を防ぐことができる。
【００１９】
水切り３は、図９（ａ）（ｂ）のように、ほとんど凹凸のないフラットな板体の軒先側と躯体Ｔ側のそれぞれの端縁に連結片３ａ，３ｂが設けてある。そして、各連結片３ａ，３ｂのうちの一方を各屋根構成材２ａのジョイント材１２の上押さえ片１２ａの軒先側端部に連結し、さらに、水切り３を上記した連結箇所を軸として軒先側から躯体Ｔ側に回転し、他方の連結片３ａを屋根体支持材１の躯体固定部５の上端部にネジ等の金具で連結する。これにより、本実施による庇に降りかかった雨水や水分は、水切り３で受けてそのまま各屋根構成材２ａの軒先側に流れ落ちるので、屋根体支持材１と各屋根構成材２ａの内部に水が浸入することがなく、固定金具等の金属腐食や庇の内部に水分が残留することで重量増加による躯体Ｔや金具の支持負担の増大が防がれる。
【００２０】
さらに、前枠４は、図１０（ａ）のように、各屋根構成材２ａの軒先側端部を隠すような状態で取り付けられる。前枠４と各屋根構成材２ａは、前枠４を軒先側端部に沿わせて当接した後、屋根構成材２ａのタッピングホール２９にネジやビス等の固定金具３０で固定することで取り付ける。また、本実施による庇には、図１０（ｂ）（ｃ）のように、雨樋２５が設けてあり、雨樋２５は前枠４の軒先側外周部に固定してある。そして、雨樋２５と前枠４との取り付けは、雨樋２５を前枠４に押し込んで引っ掛け、さらに、雨樋２５を下方から持ち上げることで、スナップ式に連結する。
【００２１】
本発明の庇は、上記実施形態で屋根構成材２ａの係止部１６と屋根体支持材１の被係止部９が鉤型に係止する構造のものを示したが、屋根構成材２ａがかかった状態から上下方向に回転する構造であればよい。例えば図１１（ａ）（ｂ）のように、差込部１６ａが側面視して丸く形成してあり、さらに、被係止部９の受入部９ｂは、側面視して樋状の受入部９ｂが設けてある。また、ガイド部１７とガイド受部１０の当たる箇所がそれぞれ面取りされている。このように形成しても、差込部１６ａを受入部９ｂに差し込んだときに、互いが係止する箇所を軸として係止部１６と被係止部９が上下方向に回転自在となる。さらに、係止部１６と被係止部９を係止して屋根構成材２ａを上方に跳ね上げて回転し、ガイド部１７とガイド受部１０が当接したとき、互いの面取りした箇所が当たってガイド部１７がガイド受部１０を円滑に乗り越えることができる。さらに、屋根構成材２ａが軒先側に移動すると、係止部１６と被係止部９及びガイド部１７とガイド受部１０という、軒先側と躯体Ｔ側に間隔をあけた二箇所で屋根構成材２ａが屋根体支持材１に支持されるので、屋根構成材２ａを安定してスライドさせることができる。
【００２２】
また、本発明の庇は、屋根構成材２ａの配置される数や軒先側への長さについて、躯体Ｔの大きさ等の様々な要因で適宜変更される。屋根構成材２ａは、上記の実施形態でパネル１１とジョイント材１２の別部材で構成するものを示したが、すべてを一体成型したものでもよい。さらに、上記の実施形態では、係止部１６と被係止部９、ガイド部１７とガイド受部１０、アーム７と固定片１５の三箇所で係止あるいは仮固定してあるが、例えば、係止部１６と被係止部９、アーム７と固定片１５の二箇所のみでもよい。この場合にはア
ーム７と固定片１５を仮固定する箇所がガイド部１７とガイド受部１０の役割を果たすものである。
【符号の説明】
【００２３】
１  屋根体支持材
２  屋根体
２ａ  屋根構成材
３  水切り
３ａ，３ｂ  連結片
４  前枠
５  躯体固定部
６  載せ部
７  アーム
７ａ  ボルト溝
８、１９  ボルト
９  被係止部
９ａ  屋根当接部
９ｂ  受入部
１０  ガイド受部
１０ａ  垂直片
１０ｂ  水平片
１１  パネル
１２  ジョイント材
１２ａ  上押さえ片
１２ｂ  下押さえ片
１２ｃ  結合片
１３  凸部
１４  凹部
１５  固定片
１６  係止部
１６ａ  差込部
１７  ガイド部
１８  貫通孔
２１  ナット
２２  補助アーム
２３  屋根材固定具
２４  躯体固定具
２５  雨樋
２６  エンドプレート
２７  エンドキャップ
２８、３０  固定金具
２９  タッピングホール
Ｓ  保持空間部
Ｔ  躯体
Ｕ  空隙
【図１】
2018204399.tif 000003
【図２】
2018204399.tif 000004
【図３】
2018204399.tif 000005
【図４】
2018204399.tif 000006
【図５】
2018204399.tif 000007
【図６】
2018204399.tif 000008
【図７】
2018204399.tif 000009
【図８】
2018204399.tif 000010
【図９】
2018204399.tif 000011
【図１０】
2018204399.tif 000012
【図１１】
2018204399.tif 000013
【図１２】
2018204399.tif 000014